(57)【要約】【課題】接写の際にカメラを操作しずらいという不具合の発生を防止できるアダプター装置を提供する。【解決手段】アダプター装置15は、三脚13とカメラ用雲台14との間に取り付け可能なものである。アダプター装置15は、アダプター本体40と、このアダプター本体40に対してそれぞれ脱着可能な第１ねじ軸体、第２ねじ軸体および第３ねじ軸体とを備える。アダプター本体40は、水平方向に沿って位置する本体下面部46と、水平方向に対して傾斜する傾斜方向に沿って位置する本体上面部47とを有する。本体下面部46には細ねじ孔部を形成し、本体上面部47には太ねじ孔部を形成する。【選択図】図１
2012027463.tif 000002
【特許請求の範囲】
【請求項１】
三脚とカメラ用雲台との間に取り付けられるアダプター装置であって、
水平方向に沿って位置する本体下面部および水平方向に対して傾斜する傾斜方向に沿って位置する本体上面部を有するアダプター本体と、
前記本体下面部および前記本体上面部のいずれか一方に形成された細ねじ孔部と、
前記本体下面部および前記本体上面部のいずれか他方に形成された太ねじ孔部と、
前記細ねじ孔部に螺合可能な細ねじ軸部および前記太ねじ孔部に螺合可能な太ねじ軸部を有する第１ねじ軸体と、
前記細ねじ孔部に螺合可能な細ねじ軸部を有する第２ねじ軸体と、
前記太ねじ孔部に螺合可能な太ねじ軸部を有する第３ねじ軸体とを備え、
前記アダプター本体の上下が一の状態である場合には、前記第１ねじ軸体および前記第３ねじ軸体のうち選択されたいずれか一方の下部側が前記太ねじ孔部に螺合されるとともにそのいずれか一方の上部側が前記カメラ用雲台のねじ孔部に螺合され、かつ、前記三脚のねじ軸部が前記細ねじ孔部に螺合され、
前記アダプター本体の上下が他の状態である場合には、前記第１ねじ軸体および前記第２ねじ軸体のうち選択されたいずれか一方の下部側が前記細ねじ孔部に螺合されるとともにそのいずれか一方の上部側が前記カメラ用雲台のねじ孔部に螺合され、かつ、前記三脚のねじ軸部が前記太ねじ孔部に螺合される
ことを特徴とするアダプター装置。
【請求項２】
アダプター本体は、第１ねじ軸体、第２ねじ軸体および第３ねじ軸体のうち使用しない２つを保持しておくための不使用軸体保持部を有する
ことを特徴とする請求項１記載のアダプター装置。
【請求項３】
不使用軸体保持部は、細ねじ孔部および太ねじ孔部にそれぞれ対応する不使用軸体用細ねじ孔部および不使用軸体用太ねじ孔部を有する
ことを特徴とする請求項２記載のアダプター装置。
【請求項４】
アダプター本体は、１つのブロック状部材のみによって形成されている
ことを特徴とする請求項１ないし３のいずれか一記載のアダプター装置。
【発明の詳細な説明】
【技術分野】
【０００１】
本発明は、三脚とカメラ用雲台との間に取り付けられるアダプター装置に関するものである。
【背景技術】
【０００２】
従来、例えば特許文献１に記載されたカメラ支持装置が知られている。
【０００３】
この従来のカメラ支持装置は、ねじ軸部を上端部に有する三脚と、この三脚のねじ軸部が螺合されたねじ孔部を下面部に有するカメラ用雲台とを備えている。
【先行技術文献】
【特許文献】
【０００４】
【特許文献１】特開２００６−３１６８０２号公報（図１）
【発明の概要】
【発明が解決しようとする課題】
【０００５】
しかしながら、上記従来の場合には、例えば次のような不具合が生じるおそれがある。
【０００６】
すなわち例えば図２０に示すように、三脚１の上端部に取り付けられたカメラ用雲台２にて支持されたカメラ３で、三脚１を載置した面に置いた被写体Ａを接写する場合に、三脚１と下向きのカメラ３のレンズ部3aとの間の隙間４が狭いため、カメラ３を操作しずらいという不具合が生じるおそれがある。
【０００７】
本発明は、このような点に鑑みなされたもので、接写時等にカメラを操作しずらいという不具合の発生を防止できるアダプター装置を提供することを目的とする。
【課題を解決するための手段】
【０００８】
請求項１記載のアダプター装置は、三脚とカメラ用雲台との間に取り付けられるアダプター装置であって、水平方向に沿って位置する本体下面部および水平方向に対して傾斜する傾斜方向に沿って位置する本体上面部を有するアダプター本体と、前記本体下面部および前記本体上面部のいずれか一方に形成された細ねじ孔部と、前記本体下面部および前記本体上面部のいずれか他方に形成された太ねじ孔部と、前記細ねじ孔部に螺合可能な細ねじ軸部および前記太ねじ孔部に螺合可能な太ねじ軸部を有する第１ねじ軸体と、前記細ねじ孔部に螺合可能な細ねじ軸部を有する第２ねじ軸体と、前記太ねじ孔部に螺合可能な太ねじ軸部を有する第３ねじ軸体とを備え、前記アダプター本体の上下が一の状態である場合には、前記第１ねじ軸体および前記第３ねじ軸体のうち選択されたいずれか一方の下部側が前記太ねじ孔部に螺合されるとともにそのいずれか一方の上部側が前記カメラ用雲台のねじ孔部に螺合され、かつ、前記三脚のねじ軸部が前記細ねじ孔部に螺合され、前記アダプター本体の上下が他の状態である場合には、前記第１ねじ軸体および前記第２ねじ軸体のうち選択されたいずれか一方の下部側が前記細ねじ孔部に螺合されるとともにそのいずれか一方の上部側が前記カメラ用雲台のねじ孔部に螺合され、かつ、前記三脚のねじ軸部が前記太ねじ孔部に螺合されるものである。
【０００９】
請求項２記載のアダプター装置は、請求項１記載のアダプター装置において、アダプター本体は、第１ねじ軸体、第２ねじ軸体および第３ねじ軸体のうち使用しない２つを保持しておくための不使用軸体保持部を有するものである。
【００１０】
請求項３記載のアダプター装置は、請求項２記載のアダプター装置において、不使用軸体保持部は、細ねじ孔部および太ねじ孔部にそれぞれ対応する不使用軸体用細ねじ孔部および不使用軸体用太ねじ孔部を有するものである。
【００１１】
請求項４記載のアダプター装置は、請求項１ないし３のいずれか一記載のアダプター装置において、アダプター本体は、１つのブロック状部材のみによって形成されているものである。
【発明の効果】
【００１２】
本発明によれば、三脚とカメラ用雲台との間に取り付けて使用することにより、接写時等にカメラを操作しずらいという不具合の発生を防止でき、しかも、アダプター本体の上下の選択と、第１ねじ軸体、第２ねじ軸体および第３ねじ軸体のうち使用する１つの選択とによって、複数種類の三脚およびカメラ用雲台に適切に対応できる。
【図面の簡単な説明】
【００１３】
【図１】本発明の一実施の形態に係るアダプター装置を備えたカメラ支持装置の斜視図である。
【図２】同上カメラ支持装置の分解図である。
【図３】同上アダプター装置のアダプター本体の斜視図である。
【図４】同上アダプター本体の斜視図である。
【図５】同上アダプター本体の斜視図である。
【図６】同上アダプター本体の正面図である。
【図７】同上アダプター本体の背面図である。
【図８】同上アダプター本体の左側面図である。
【図９】同上アダプター本体の右側面図である。
【図１０】同上アダプター本体の平面図である。
【図１１】同上アダプター本体の底面図である。
【図１２】同上アダプター本体の側面視断面図である。
【図１３】図８のＡ−Ａ断面図である。
【図１４】同上アダプター装置の第１ねじ軸体の正面図である。
【図１５】同上アダプター装置の第２ねじ軸体の正面図である。
【図１６】同上アダプター装置の第３ねじ軸体の正面図である。
【図１７】（ａ）ないし（ｄ）は同上アダプター装置の使用例を示す図である。
【図１８】同上アダプター装置の作用説明図である。
【図１９】同上アダプター装置の作用説明図である。
【図２０】従来のカメラ支持装置を示す側面図である。
【発明を実施するための形態】
【００１４】
本発明の一実施の形態について図面を参照して説明する。
【００１５】
図１および図２において、11はカメラ支持装置で、このカメラ支持装置11は、三脚13と、カメラ12を直接支持するカメラ用雲台14と、三脚13とカメラ用雲台14との間に脱着可能に取り付けられたアダプター装置15とを備えている。
【００１６】
三脚13は、基体21を備えている。この基体21には、３本の伸縮可能な脚体23が水平方向の軸部22を中心として回動可能に取り付けられている。基体21の中央部には、昇降杆24が昇降可能に取り付けられている。また、昇降杆24は、基体21に対して上下方向軸線を中心として回転可能となっている。なお、基体21には、昇降杆24を基体21に対して固定およびその固定を解除するための操作体28が回転可能に取り付けられている（図１９参照）。
【００１７】
昇降杆24は、上下方向長手状の昇降杆本体部25と、この昇降杆本体部25の上面部に取り付けられこの昇降杆本体部25の上面部から上方に向かって突出するねじ軸部26とを有している。
【００１８】
ねじ軸部26は、通常、１／４インチねじであるが、３／８インチねじである場合もある。つまり、三脚13の上端部のねじ軸部26の大きさには、２種類（１／４インチねじ、３／８インチねじ）がある。
【００１９】
カメラ用雲台14は、例えば自由雲台である。つまり、カメラ用雲台14は、下方に向かって開口するねじ孔部33を下面部に有するベース体31と、このベース体31にて任意方向に回動可能に保持されたボール部34およびこのボール部34に固設されカメラ12が脱着可能に取り付けられたカメラ支持部35を有する支持体32とを備えている。
【００２０】
ねじ孔部33は、通常、１／４インチねじであるが、３／８インチねじである場合もある。つまり、カメラ用雲台14の下面部のねじ孔部33の大きさには、三脚13のねじ軸部26と同様、２種類（１／４インチねじ、３／８インチねじ）がある。
【００２１】
アダプター装置（傾斜アダプター）15は、図１および図２に示されるように、例えば金属製或いは合成樹脂製の１つのブロック状部材のみによって一体に形成されたアダプター本体40と、このアダプター本体40に対してそれぞれ脱着可能、つまり螺合および螺合解除可能な３つのねじ軸体、すなわち第１ねじ軸体41、第２ねじ軸体42および第３ねじ軸体43とを備えている。
【００２２】
なお、３つのねじ軸体41，42，43を同時に使用することはなく、これら３つのねじ軸体41，42，43のうち、三脚13のねじ軸部26およびカメラ用雲台14のねじ孔部33に応じて選択された１つを使用し、残りの２つは使用しない。なお、例えば図２には、第１ねじ軸体41を使用した例が示されている。
【００２３】
ここで、アダプター本体40は、図２ないし図１３に示されるように、三脚13の上面部とカメラ用雲台14の下面部との間に配設される側面視扇状をなすものある。つまり、アダプター本体40は、水平方向に沿って位置する円形状の水平面部である本体下面部46と、水平方向に対して所定の傾斜角度α（例えば４５度）をもって傾斜する傾斜方向に沿って位置する円形状の傾斜面部である本体上面部47と、これら本体下面部46および本体上面部47間に位置する周側面部48とを有している。なお、本体下面部46と本体上面部47とのなす角度が、所定の傾斜角度αとなっている。
【００２４】
本体下面部46の中央部には、下方に向かって開口する細ねじ孔部51が形成されている。本体上面部47の中央部には、上方に向かって開口する太ねじ孔部52が形成されている。
【００２５】
細ねじ孔部51は、１／４インチねじである。太ねじ孔部52は、細ねじ孔部51よりも大きなもので、３／８インチねじである。なお、図１２に示されるように、細ねじ孔部51および太ねじ孔部52は、アダプター本体40の中心部付近まで形成されているが、細ねじ孔部51の底部と太ねじ孔部52の底部とは互いに繋がっていない。
【００２６】
また、本体下面部46には、細ねじ孔部51を中心として周方向に並ぶ複数、例えば６つの扇状の下面側凹部53が形成されている。本体上面部47には、太ねじ孔部52を中心として周方向に並ぶ複数、例えば６つの扇状の上面側凹部54が形成されている。
【００２７】
さらに、周側面部48の左面側（正面視で左面側）には左面側凸部56が形成され、この左面側凸部56には左側方に向かって開口する円形状の孔部57が形成されている。そして、細ねじ孔部51に対応しこの細ねじ孔部51と同形状をなす不使用軸体用細ねじ孔部58が、孔部57の底部に繋がるようにアダプター本体40に形成されている。不使用軸体用細ねじ孔部58は、１／４インチねじである。なお、不使用軸体用細ねじ孔部58の底部に円形状の細孔部59が繋がっている。
【００２８】
周側面部48の右面側（正面視で右面側）には右面側凸部61が形成され、この右面側凸部61には右側方に向かって開口する円形状の孔部62が形成されている。そして、太ねじ孔部52に対応しこの太ねじ孔部52と同形状をなす不使用軸体用太ねじ孔部63が、孔部62の底部に繋がるようにアダプター本体40に形成されている。不使用軸体用太ねじ孔部63は、３／８インチねじである。なお、不使用軸体用太ねじ孔部63の底部に円形状の太孔部64が繋がっている。図１３に示されるように、細孔部59の底部と太孔部64の底部とは互いに繋がっていない。
【００２９】
なお、アダプター本体40は、第１ねじ軸体41、第２ねじ軸体42および第３ねじ軸体43のうち使用しない２つを、例えばアダプター本体40の表面から突出しない非突出の状態として保持しておくための不使用軸体保持部66を有している。この不使用軸体保持部66は、例えば孔部57、不使用軸体用細ねじ孔部58、細孔部59、孔部62、不使用軸体用太ねじ孔部63、および太孔部64にて構成されている。
【００３０】
第１ねじ軸体41は、図１４に示されるように、細ねじ孔部51および不使用軸体用細ねじ孔部58に螺合可能な細ねじ軸部71と、太ねじ孔部52および不使用軸体用太ねじ孔部63に螺合可能な太ねじ軸部72とを有している。つまり、第１ねじ軸体41は、軸方向一端側の細ねじ軸部71と、軸方向他端側の太ねじ軸部72とにて構成されている。
【００３１】
第２ねじ軸体42は、図１５に示されるように、細ねじ孔部51および不使用軸体用細ねじ孔部58に螺合可能な細ねじ軸部73のみを有している。つまり、第２ねじ軸体42は、軸方向一端から軸方向他端にわたって形成された細ねじ軸部73にて構成されている。
【００３２】
第３ねじ軸体43は、図１６に示されるように、太ねじ孔部52および不使用軸体用太ねじ孔部63に螺合可能な太ねじ軸部74のみを有している。つまり、第３ねじ軸体43は、軸方向一端から軸方向他端にわたって形成された太ねじ軸部74にて構成されている。
【００３３】
なお、第１ねじ軸体41の細ねじ軸部71および第２ねじ軸体42の細ねじ軸部73は、いずれも１／４インチねじである。第１ねじ軸体41の太ねじ軸部72および第３ねじ軸体43の太ねじ軸部74は、いずれも３／８インチねじである。
【００３４】
そして、図１７（ａ）および（ｂ）に示されるように、アダプター本体40の上下が一の状態（正状態）、すなわち例えば本体下面部46が水平方向に沿って位置しかつ本体上面部47が傾斜方向に沿って位置する状態である場合には、第１ねじ軸体41および第３ねじ軸体43のうち選択されたいずれか一方の下部側が太ねじ孔部52に螺合されるとともにそのいずれか一方の上部側がカメラ用雲台14のねじ孔部33に螺合され、かつ、三脚13のねじ軸部26が細ねじ孔部51に螺合される。
【００３５】
つまり、図１７（ａ）は、三脚13のねじ軸部26が１／４インチねじでかつカメラ用雲台14のねじ孔部33が１／４インチねじである場合の使用例であり、この場合には、選択された使用に係る第１ねじ軸体41の太ねじ軸部72が太ねじ孔部52に螺合され、不使用の第３ねじ軸体43の太ねじ軸部74が不使用軸体用太ねじ孔部63に螺合され、不使用の第２ねじ軸体42の細ねじ軸部73が不使用軸体用細ねじ孔部58に螺合される。
【００３６】
図１７（ｂ）は、三脚13のねじ軸部26が１／４インチねじでかつカメラ用雲台14のねじ孔部33が３／８インチねじである場合の使用例であり、この場合には、選択された使用に係る第３ねじ軸体43の太ねじ軸部74が太ねじ孔部52に螺合され、不使用の第１ねじ軸体41の太ねじ軸部72が不使用軸体用太ねじ孔部63に螺合され、不使用の第２ねじ軸体42の細ねじ軸部73が不使用軸体用細ねじ孔部58に螺合される。
【００３７】
また、図１７（ｃ）および（ｄ）に示されるように、アダプター本体40の上下が他の状態（逆状態）、すなわち例えばアダプター本体40の上下が逆にされて本体上面部47が水平方向に沿って位置しかつ本体下面部46が傾斜方向に沿って位置する状態である場合には、第１ねじ軸体41および第２ねじ軸体42のうち選択されたいずれか一方の下部側が細ねじ孔部51に螺合されるとともにそのいずれか一方の上部側がカメラ用雲台14のねじ孔部33に螺合され、かつ、三脚13のねじ軸部26が太ねじ孔部52に螺合される。
【００３８】
つまり、図１７（ｃ）は、三脚13のねじ軸部26が３／８インチねじでかつカメラ用雲台14のねじ孔部33が３／８インチねじである場合の使用例であり、この場合には、選択された使用に係る第１ねじ軸体41の細ねじ軸部71が細ねじ孔部51に螺合され、不使用の第２ねじ軸体42の細ねじ軸部73が不使用軸体用細ねじ孔部58に螺合され、不使用の第３ねじ軸体43の太ねじ軸部74が不使用軸体用太ねじ孔部63に螺合される。
【００３９】
図１７（ｄ）は、三脚13のねじ軸部26が３／８インチねじでかつカメラ用雲台14のねじ孔部33が１／４インチねじである場合の使用例であり、この場合には、選択された使用に係る第２ねじ軸体42の細ねじ軸部73が細ねじ孔部51に螺合され、不使用の第１ねじ軸体41の細ねじ軸部71が不使用軸体用細ねじ孔部58に螺合され、不使用の第３ねじ軸体43の太ねじ軸部74が不使用軸体用太ねじ孔部63に螺合される。
【００４０】
このように、アダプター装置15には、三脚13のねじ軸部26の種類およびカメラ用雲台14のねじ孔部33の種類に対応できるように、４つのパターンの使用例がある。
【００４１】
そして、このようなアダプター装置15を使用した場合には、次のような作用効果を奏することができる。
【００４２】
図１８に示すように、従来の構成では三脚１と下向きのカメラ３のレンズ部3aとの間の隙間４が狭いため、三脚１を載置した面に置いた被写体Ａを接写する際にカメラ３を操作しずらいという不具合が生じるが、アダプター装置15を三脚13とカメラ用雲台14との間に取り付けると、三脚13と下向きのカメラ12のレンズ部12aとの間の隙間16が従来の隙間４に比べて広くなり、その隙間16に手を入れることができるため、下向きのカメラ12の下方に位置する被写体Ａを接写する際にカメラ12を操作しずらいという不具合の発生を防止でき、またこの接写時における三脚13の脚体23やその影の写り込みを軽減できる（図１参照）。
【００４３】
しかも、三脚13とカメラ12のレンズ部12aとの間に広い隙間16が形成されるため、カメラ12を、前方を向いた状態から真下を向いた状態を経て下斜め後方を向いた状態になるまで、三脚13に対して９０度以上回動させることができる。つまり、アダプター装置15を使用することによってカメラ12の角度調整の範囲を拡大でき、様々な被写体を適切に撮影することができる。
【００４４】
また、図１９に示すように、山岳地帯等における既に地面が傾斜している場所や河川敷等における足場に多少の高低差がある場所等においては、従来の構成ではその地面の傾斜や高低差に合わせて三脚１の各脚体1aの長さを調整する必要があったが、アダプター装置15を三脚13とカメラ用雲台14との間に取り付けると、アダプター装置15により広範囲の角度調整が可能となり、煩わしい三脚13の各脚体23の長さ調整をすることなく、適切な撮影を行うことができる。
【００４５】
さらに、例えば縦位置撮影時においては、従来の構成ではカメラ用雲台14による角度調整によって９０度が限界であったが、アダプター装置15の使用により更に角度を付けることができる。
【００４６】
また、例えばアダプター装置15を三脚13とカメラ用雲台14との間に取り付けることにより、カメラ12の角度を所定の傾斜角度αに容易に調整できる。
【００４７】
さらに、三脚13のねじ軸部26の大きさおよびカメラ用雲台14のねじ孔部33の大きさには、大小の２種類（１／４インチねじ、３／８インチねじ）があるが、アダプター本体40の上下の選択と３つのねじ軸体41，42，43のうち使用する１つの選択とによって、各種の三脚13およびカメラ用雲台14に適切に対応できる。
【００４８】
また、アダプター本体40は、３つのねじ軸体41，42，43のうち使用しない２つを保持しておくための不使用軸体保持部66を有するため、使用しないねじ軸体41，42，43の紛失を防止できる。
【００４９】
なお、アダプター本体40の傾斜角度αは、４５度には限定されず、任意であり、例えば３０度や６０度等でもよい。
【００５０】
また、細ねじ孔部51が本体下面部46に形成されかつ太ねじ孔部52が本体上面部47に形成された構成には限定されず、例えば太ねじ孔部52が本体下面部46に形成されかつ細ねじ孔部51が本体上面部47に形成された構成でもよい。
【００５１】
さらに、不使用軸体保持部66は、例えば永久磁石の磁力を利用して不使用のねじ軸体を保持するものでもよい。
【００５２】
また、アダプター本体40は、１つのブロック状部材のみからなるものには限定されず、例えば本体下面部と本体上面部とのなす角度を調整できるように、互いに回動可能に連結された２部材からなるもの等でもよい。
【００５３】
なお、アダプター装置15を使用する代わりに、三脚13の上面部やカメラ用雲台14の下面部が標準仕様で角度が付いているようにすることが考えられる。
【符号の説明】
【００５４】
13    三脚
14    カメラ用雲台
15    アダプター装置
26    三脚のねじ軸部
33    カメラ用雲台のねじ孔部
40    アダプター本体
41    第１ねじ軸体
42    第２ねじ軸体
43    第３ねじ軸体
46    本体下面部
47    本体上面部
51    細ねじ孔部
52    太ねじ孔部
58    不使用軸体用細ねじ孔部
63    不使用軸体用太ねじ孔部
66    不使用軸体保持部
71    第１ねじ軸体の細ねじ軸部
72    第１ねじ軸体の太ねじ軸部
73    第２ねじ軸体の細ねじ軸部
74    第３ねじ軸体の太ねじ軸部
【図１】
2012027463.tif 000003
【図２】
2012027463.tif 000004
【図３】
2012027463.tif 000005
【図４】
2012027463.tif 000006
【図５】
2012027463.tif 000007
【図６】
2012027463.tif 000008
【図７】
2012027463.tif 000009
【図８】
2012027463.tif 000010
【図９】
2012027463.tif 000011
【図１０】
2012027463.tif 000012
【図１１】
2012027463.tif 000013
【図１２】
2012027463.tif 000014
【図１３】
2012027463.tif 000015
【図１４】
2012027463.tif 000016
【図１５】
2012027463.tif 000017
【図１６】
2012027463.tif 000018
【図１７】
2012027463.tif 000019
【図１８】
2012027463.tif 000020
【図１９】
2012027463.tif 000021
【図２０】
2012027463.tif 000022